(57)【要約】【課題】ケーブルの使用形態に起因してコネクタの破損やケーブルの断線が起こることがない電子機器を提供する。【解決手段】配線口が開口する筐体１２と、配線口の中に配置されて筐体１２に対して固定された第１のコネクタを備える。第１のコネクタに着脱自在に接続された第２のコネクタと、第２のコネクタが一端に設けられた入力用ケーブルを備える。筐体１２に支持されて入力用ケーブルを筐体１２の近傍で保持するケーブルガイド１３を備える。ケーブルガイド１３は、筐体１２に着脱可能に取付けられた取付部４１と、第２のコネクタの着脱方向と平行な方向に所定の長さだけ取付部４１から突出し、先端部にケーブルが挿通される穴４３が形成されたガイド部４２とを備えている。【選択図】  図１
2019083134.tif 000002
【特許請求の範囲】
【請求項１】
配線口が開口する筐体と、
前記配線口の中に配置されて前記筐体に対して固定された第１のコネクタと、
前記第１のコネクタに着脱自在に接続された第２のコネクタと、
前記第２のコネクタが一端に設けられたケーブルと、
前記筐体に支持されて前記ケーブルを前記筐体の近傍で保持するケーブルガイドとを備え、
前記ケーブルガイドは、
前記筐体に着脱可能に取付けられた取付部と、
前記第２のコネクタが前記第１のコネクタに対して着脱されるときの着脱方向と平行な方向に所定の長さだけ前記取付部から突出し、先端部に前記ケーブルが挿通される穴が形成されたガイド部とを備えていることを特徴とする電子機器。
【請求項２】
請求項１記載の電子機器において、
前記ケーブルガイドは、前記着脱方向とは直交する方向に分割可能に形成された第１の半部と第２の半部とによって構成されていることを特徴とする電子機器。
【請求項３】
請求項２記載の電子機器において、
前記第１の半部は、前記取付部が分割されて形成された第１の取付片を有し、
前記第２の半部は、前記取付部が分割されて形成された第２の取付片を有し、
前記第１の取付片と前記第２の取付片とは、前記第１の半部と前記第２の半部とが互いに組み合わせられた状態でそれぞれ前記筐体の外面に嵌合して前記筐体を挟む形状に形成されていることを特徴とする電子機器。
【発明の詳細な説明】
【技術分野】
【０００１】
本発明は、筐体の外面から突出するケーブル接続用のコネクタを備えた電子機器に関する。
【背景技術】
【０００２】
従来、ケーブルが着脱自在に接続される電子機器においては、筐体に配線口が形成され、この配線口にケーブル接続用のコネクタが配置されることが多い。従来のこの種の電子機器としては、例えば特許文献１に記載されているマルチテスターがある。従来のマルチテスターに接続されるケーブルは、被計測用の機器に容易に接続できるように、屈曲し易いものが用いられている。このケーブルは、コネクタ部のみにおいて筐体に対して固定されている。
【０００３】
ところで、近年においては、マルチテスターにおいて、電圧や抵抗などの複数の物理量を同時に計測できるようにすることが提案されている。これを実現するためには、従来のマルチテスターに設けられている単線用のコネクタを、複数のケーブルを接続可能な例えばプリント基板用コネクタに変更することが考えられる。従来のプリント基板用コネクタは、図７に示すように、プリント基板１に実装されて筐体２の配線口３の中に配置されることが多い。
【０００４】
図７は、筐体２の中にプリント基板１が収容された従来の電子機器４の断面図である。図７に示すプリント基板用コネクタ５は、プリント基板１に実装された第１のコネクタ６と、この第１のコネクタ６に着脱自在に接続された第２のコネクタ７とから構成されている。第２のコネクタ７は、ケーブル８の一端部に接続されており、筐体２から突出する状態で第１のコネクタ６に接続される。ケーブル８は、いわゆるフラットケーブルやリボンケーブルのような複数の細いケーブルを帯状に束ねたものである。
【先行技術文献】
【特許文献】
【０００５】
【特許文献１】特開２０１４−１０００６号公報
【発明の概要】
【発明が解決しようとする課題】
【０００６】
図７に示したような従来の電子機器４を含めてケーブルがコネクタを介して接続された電子機器においては、ケーブルの使用形態が複雑になると、コネクタに大きな負荷が加えられてコネクタが破損したり、ケーブルが断線するおそれがあった。このようなケーブルの使用形態とは、例えば、図７中に二点鎖線で示すように、ケーブル８が伸ばされた状態でよじられるような形態である。
【０００７】
また、この電子機器を衣服のポケットに入れて使用するときには、ケーブルがコネクタとの接続部分で折れたり、ケーブルがコネクタから引っ張られながらよじられたりすることがある。このような場合にも上述したようにコネクタが破損したりケーブルが断線する危険性がある。なお、ケーブルがフラットケーブルではなく、単線のケーブルであったとしても、コネクタがケーブルにより着脱方向とは異なる方向に引っ張られた状態でケーブルがよじられることによって、フラットケーブルの場合と同様な問題が生じる。
【０００８】
本発明の目的は、ケーブルの使用形態に起因してコネクタの破損やケーブルの断線が起こることがない電子機器を提供することである。
【課題を解決するための手段】
【０００９】
この目的を達成するために、本発明に係る電子機器は、配線口が開口する筐体と、前記配線口の中に配置されて前記筐体に対して固定された第１のコネクタと、前記第１のコネクタに着脱自在に接続された第２のコネクタと、前記第２のコネクタが一端に設けられたケーブルと、前記筐体に支持されて前記ケーブルを前記筐体の近傍で保持するケーブルガイドとを備え、前記ケーブルガイドは、前記筐体に着脱可能に取付けられた取付部と、前記第２のコネクタが前記第１のコネクタに対して着脱されるときの着脱方向と平行な方向に所定の長さだけ前記取付部から突出し、先端部に前記ケーブルが挿通される穴が形成されたガイド部とを備えているものである。
【００１０】
本発明は、前記電子機器において、前記ケーブルガイドは、前記着脱方向とは直交する方向に分割可能に形成された第１の半部と第２の半部とによって構成されていてもよい。
【００１１】
本発明は、前記電子機器において、前記第１の半部は、前記取付部が分割されて形成された第１の取付片を有し、前記第２の半部は、前記取付部が分割されて形成された第２の取付片を有し、前記第１の取付片と第２の取付片とは、前記第１の半部と前記第２の半部とが互いに組み合わせられた状態でそれぞれ前記筐体の外面に嵌合して前記筐体を挟む形状に形成されていてもよい。
【発明の効果】
【００１２】
本発明によれば、ケーブルがケーブルガイドの穴に通されることにより、この穴と第２のコネクタとの間において、ケーブルが直線的に延びる状態に保持される。このため、ケーブルの折曲げ可能な範囲がケーブルガイドの外側に制限され、第２のコネクタにケーブルから着脱方向とは異なる方向に荷重が加えられることがなくなる。
したがって、ケーブルの使用形態に起因してコネクタの破損やケーブルの断線が起こることがない電子機器を提供することができる。
【図面の簡単な説明】
【００１３】
【図１】本発明に係る電子機器の構成を示す斜視図である。
【図２】本発明に係る電子機器の構成を示す側面図である。
【図３】筐体の構成を示す斜視図である。
【図４】要部を破断して示す斜視図である。図４の破断位置は、図２中にIV-IV線によって示す位置である。
【図５】第１の取付片と第２の取付片の連結部分を示す斜視図である。
【図６】本発明に係る電子機器の断面図である。
【図７】従来の電子機器の断面図である。
【発明を実施するための形態】
【００１４】
以下、本発明に係る電子機器の一実施の形態を図１〜図６を参照して詳細に説明する。
図１に示す電子機器１１は、図示していない計測器に接続して使用する変換器で、角柱状に形成された筐体１２と、この筐体１２の一端部に取付けられたケーブルガイド１３などを備えている。
【００１５】
筐体１２は、図２および図３に示すように、ケース１４と、このケース１４に重ねられたカバー１５とによって構成されている。この筐体１２の中にはプリント基板１６が収容されている。以下においては、筐体１２の長手方向（図２においては左右方向）とは直交する方向であって、かつケース１４とカバー１５とが並ぶ方向（図２においては上下方向）とも直交する方向を単に「横方向」という。
【００１６】
ケース１４は、有底角筒状に形成されている。このケース１４の開口形状は長方形である。ケース１４の内側の底であってケース１４の長手方向の両端部には、プリント基板１６を支持する支柱１７（図２および図６参照）がそれぞれ立設されている。
プリント基板１６は、上述した支柱１７の先端に重ねられた状態で取付用ねじ１８（図２および図３参照）によって固定されている。また、プリント基板１６は、信号変換用の回路（図示せず）を有し、この回路に接続された入力用コネクタ２１（図６参照）および出力用コネクタ２２（図１参照）を備えている。なお、図１と、図３、図４および図６は、入力用コネクタ２１および出力用コネクタ２２の接触端子を省略して描いてある。
【００１７】
入力用コネクタ２１は、図６に示すように、プリント基板１６に実装された第１のコネクタ２３と、この第１のコネクタ２３に着脱自在に接続された第２のコネクタ２４とによって構成されている。第２のコネクタ２４は、第１のコネクタ２３の凹陥部２５の中に嵌合する形状に形成されており、入力用ケーブル２６の一端に接続されている。第２のコネクタ２４が第１のコネクタ２３に対して着脱されるときの着脱方向は、ケース１４とカバー１５とが並ぶ方向、言い換えれば筐体１２の長手方向および横方向と直交する方向であって、カバー１５の主面１５ａと垂直な方向である。
【００１８】
入力用ケーブル２６の他端は、図示していない被計測用機器に接続される。この実施の形態による入力用ケーブル２６は、単線のケーブル（図示せず）を一列に並べて帯状に形成された、いわゆるフラットケーブルやリボンケーブルと呼称されているものである。この実施の形態においては、入力用ケーブル２６が本発明でいう「ケーブル」に相当する。
第１および第２のコネクタ２３，２４は、帯状の入力用ケーブル２６を接続するために、入力用ケーブル２６の幅方向（上述した単線のケーブルが並ぶ方向）に長く形成されている。そして、これらの第１および第２のコネクタ２３，２４は、入力用ケーブル２６の幅方向が筐体１２の長手方向と平行になるように配置されている。
【００１９】
出力用コネクタ２２は、プリント基板１６に実装された基板側コネクタ２７と、この基板側コネクタ２７に着脱自在に接続されるケーブル側コネクタ（図示せず）とによって構成されている。ケーブル側コネクタは、出力用ケーブル（図示せず）の一端に接続されている。出力用ケーブルの他端は、図示していない計測器に接続される。出力用ケーブルは、入力用ケーブル２６に対して電線の線径が大きく、相対的に剛性が高いフラットケーブルが用いられている。この実施の形態による電子機器１１は、作業者に把持された状態や、計測器の近傍に載置された状態で使用されることが多いものである。このため、出力用ケーブルから出力用コネクタ２２に過大な荷重が加えられることはないから、出力用ケーブルを筐体１２の近傍で保持する部材、すなわち後述するケーブルガイド１３のような部材は不要である。
【００２０】
カバー１５は、図４および図６に示すように、ケース１４の開口部分を閉塞する蓋として機能するもので、ケース１４に重なる状態で固定されている。カバー１５をケース１４に固定するためには、図示してはいないが、接着剤や固定用ねじを用いたり、カバー１５にケース１４が圧入状態で嵌合する構成を採ることができるし、フックを有する係止構造を用いることもできる。
【００２１】
この実施の形態によるカバー１５は、３つの機能部を備えている。第１の機能部は、図３に示すように、上述した第１のコネクタ２３を通すための第１の配線口３１である。第２の機能部は、上述した基板側コネクタ２７を通すための第２の配線口３２である。これらの第１および第２の配線口３１，３２は、カバー１５を貫通するように形成されている。
【００２２】
第１のコネクタ２３は、第１の配線口３１の中に配置されて筐体１２に対して固定されている。基板側コネクタ２７は、第２の配線口３２の中に配置されて筐体１２に対して固定されている。この実施の形態においては、第１の配線口３１が本発明でいう「配線口」に相当する。
【００２３】
第３の機能部は、カバー１５の主面１５ａに突設された第１および第２の突条３３，３４（図３参照）である。これらの第１および第２の突条３３，３４は、筐体１２の長手方向において第１の配線口３１を挟む位置にそれぞれ設けられており、それぞれカバー１５の主面１５ａに沿って筐体１２の横方向に延びている。第１の突条３３と第２の突条３４との間隔は、後述するケーブルガイド１３が第１の突条３３と第２の突条３４との間に嵌合する間隔である。
【００２４】
ケーブルガイド１３は、図１に示すように、筐体１２に取付けられた取付部４１と、この取付部４１に一体に形成されたガイド部４２とを備えている。
取付部４１は、詳細は後述するが、上述した第１および第２の突条３３，３４の間に配置されており、筐体１２に着脱可能に取付けられている。
ガイド部４２は、角筒状に形成されており、上述した第２のコネクタ２４の着脱方向と平行な方向に所定の長さだけ取付部４１から突出している。
【００２５】
このガイド部４２の先端部には、上述した入力用ケーブル２６が挿通される穴４３が形成されている。この穴４３の開口形状は、入力用ケーブル２６の断面形状に近い長方形である。この長方形の長手方向は、筐体１２の長手方向と平行であり、短手方向は、筐体１２の横方向と平行である。この穴４３の長手方向の開口幅と、短手方向の開口幅は、それぞれ入力用ケーブル２６が穴４３内で遊動できるような開口幅である。
【００２６】
この実施の形態によるケーブルガイド１３は、図４に示すように、第１の半部４４と第２の半部４５とによって構成されている。これらの第１および第２の半部４４，４５は、筐体１２の横方向に分割可能、すなわち筐体１２の長手方向と直交する方向であって、かつ第２のコネクタ２４の着脱方向とも直交する方向に分割可能に形成されている。
第１の半部４４は、上述した取付部４１が横方向に分割されて形成された第１の取付片４６と、上述したガイド部４２が横方向に分割されて形成された第１のガイド片４７とを有している。第２の半部４５は、上述した取付部４１が横方向に分割されて形成された第２の取付片４８と、上述したガイド部４２が横方向に分割されて形成された第２のガイド片４９とを有している。
【００２７】
第１の取付片４６と第２の取付片４８は、詳細は後述するが、それぞれカバー１５の第１の突条３３と第２の突条３４との間となる筐体１２の側部に横方向の一方と他方とから嵌合する形状に形成されている。また、第１および第２の取付片４６，４８は、第１の半部４４と第２の半部４５とが互いに組み合わせられた状態でそれぞれ筐体１２の外面に嵌合して筐体１２を挟む形状に形成されている。すなわち、この実施の形態によるケーブルガイド１３は、筐体１２の長手方向においてカバー１５の第１および第２の突条３３，３４によって位置決めされ、筐体１２の横方向においては筐体１２の横方向の両側部によって位置決めされている。
【００２８】
第１の取付片４６は、筐体１２の横方向の一端部に位置する右側壁１２ａに重ねられた側壁部４６ａと、この側壁部４６ａから横方向の他端側に延びる底壁部４６ｂと上壁部４６ｃとによって構成されている。
第２の取付片４８は、筐体１２の横方向の他端部に位置する左側壁１２ｂに重ねられた側壁部４８ａと、この側壁部４８ａから横方向の一端側に延びる底壁部４８ｂと上壁部４８ｃとによって構成されている。
【００２９】
第１の取付片４６の底壁部４６ｂと、第２の取付片４８の底壁部４８ｂとは、図５に示すように、ケース１４の底面１４ａに重ねられており、底壁部４６ｂに形成された凹部５１と、底壁部４８ｂに形成された凸部５２との嵌合からなる第１の連結構造５３によって互いに接続されている。これらの底壁部４６ｂと底壁部４８ｂとは、第１の連結構造５３を介して互いに着脱可能に接続されている。凸部５２は、凹部５１の中に圧入されて嵌合している。このため、第１の取付片４６の底壁部４６ｂと第２の取付片４８の底壁部４８ｂは、主に凹部５１と凸部５２との接触部分に生じる摩擦抵抗によって、容易に外れることがないように互いに接続されている。
【００３０】
第１の取付片４６の上壁部４６ｃは、図６に示すように、カバー１５の主面１５ａに重ねられており、第１のガイド片４７の一端に接続されている。第２の取付片４８の上壁部４８ｃは、カバー１５の主面１５ａに重ねられており、第２のガイド片４９の一端に接続されている。
第１のガイド片４７と第２のガイド片４９は、第１および第２の取付片４６，４８の上壁部４６ｃ，４８ｃに一端が接続されて第２のコネクタ２４の着脱方向に沿ってカバー１５から離れる方向に起立する縦壁部４７ａ，４９ａと、この縦壁部４７ａ，４９ａの他端に接続された穴壁部４７ｂ，４９ｂとによって構成されている。第１のガイド片４７の縦壁部４７ａと第２のガイド片４９の縦壁部４９ａは、カバー１５から離れるにしたがって次第にガイド部４２の横方向の幅が小さくなるように形成されている。
【００３１】
第１のガイド片４７の穴壁部４７ｂと、第２のガイド片４９の穴壁部４９ｂは、図４に示すように、溝５４，５５を有している。これらの溝５４，５５は、第２のコネクタ２４の着脱方向から見て第１のコネクタ２３と重なる位置に形成されており、第２のコネクタ２４の着脱方向に延びている。第１のガイド片４７の穴壁部４７ｂと第２のガイド片４９の穴壁部４９ｂとが互いに接続されることによって、２つの溝５４，５５が互いに接続されて穴４３が形成される。
【００３２】
この実施の形態による第１のガイド片４７の穴壁部４７ｂと、第２の取付片４８の穴壁部４９ｂとは、図１に示すように、穴壁部４９ｂに形成された凹部６１と、穴壁部４７ｂに形成された凸部６２との嵌合からなる第２の連結構造６３によって互いに接続されている。これらの穴壁部４７ｂと穴壁部４９ｂとは、第２の連結構造６３を介して互いに着脱可能に接続されている。凸部６２は、凹部６１の中に圧入されて嵌合している。このため、第１のガイド片４７の穴壁部４７ｂと第２のガイド片４９の穴壁部４９ｂは、主に凹部６１と凸部６２との接触部分に生じる摩擦抵抗によって、容易に外れることがないように互いに接続されている。
【００３３】
このように構成された電子機器１１を使用するためには、先ず、プリント基板１６に出力用コネクタ２２と出力用ケーブルとを介して計測器を接続するとともに、プリント基板１６に入力用コネクタ２１を介して入力用ケーブル２６を接続する。そして、筐体１２にケーブルガイド１３の第１および第２の取付片４６，４８を横方向の両側から嵌合させて取付ける。この取付けは、入力用ケーブル２６を第１および第２のガイド片４７，４９の穴壁部４７ｂ，４９ｂに沿わせた状態で行う。
【００３４】
そして、第１および第２の取付片４６，４８を側壁部４６ａ，４８ａが筐体１２の右側壁１２ａおよび左側壁１２ｂに重なるまでそれぞれ筐体１２に押し付けることによって、第１の取付片４６の底壁部４６ｂに設けられた凹部５１と、第２の取付片４８の底壁部４８ｂに設けられた凸部５２とが嵌合し、第１の取付片４６と第２の取付片４８とが第１の連結構造５３を介して互いに連結される。
【００３５】
また、第１のガイド片４７と第２のガイド片４９とを互いに接触し合うように押し付けることによって、第１のガイド片４７の穴壁部４７ｂに設けられた凸部６２と、第２のガイド片４９の穴壁部４９ｂに設けられた凹部６１とが嵌合し、第１のガイド片４７と第２のガイド片４９とが第２の連結構造６３を介して互いに連結される。
このように第１および第２の取付片４６，４８どうしが互いに連結されるとともに、第１および第２のガイド片４７，４９どうしが互いに連結されることにより、第１の半部４４と第２の半部４５とが互いに結合され、ケーブルガイド１３が筐体１２に組付けられる。ケーブルガイド１３は、この組付状態において、筐体１２に支持されて入力用ケーブル２６を筐体１２の近傍で保持する。
【００３６】
この電子機器１１は、ケーブルガイド１３が筐体１２に取付けられた状態で入力用ケーブル２６を被計測用機器に接続して使用される。この使用時には、入力用ケーブル２６の接続先を変更することにより入力用ケーブル２６が大きく曲げられたりよじられたりする。しかし、このように入力用ケーブル２６の先端側の使用形態が複雑になったとしても、入力用ケーブル２６における、ケーブルガイド１３の中に位置する基部２６ａ（図６参照）は、筐体１２の長手方向および横方向への移動が穴４３の穴壁面（溝５４，５５）によって規制される。
【００３７】
このため、穴４３と第２のコネクタ２４との間において、入力用ケーブル２６が直線的に延びる状態に保持される。この結果、図６中に二点鎖線で示すように、入力用ケーブル２６の折曲げ可能な範囲がケーブルガイド１３の外側に制限されるから、入力用ケーブル２６の先端側がよじれた場合であっても、第２のコネクタ２４に入力用ケーブル２６から着脱方向とは異なる方向に荷重が加えられることがなくなる。
一方、入力用ケーブル２６が筐体１２に対して引かれた場合には、入力用ケーブル２６の長手方向への移動が穴４３の穴壁面によって規制されることはない。このため、このような場合には第２のコネクタ２４が入力用ケーブル２６によって引かれて第１のコネクタ２３から外れる。
【００３８】
したがって、この実施の形態によれば、入力用ケーブル２６の使用形態に起因して入力用コネクタ２１の破損や入力用ケーブル２６の断線が起こることがない電子機器を提供することができる。
この電子機器１１において、計測が終了した後は、先ず、ケーブルガイド１３を第１の半部４４と第２の半部４５とに分割して筐体１２から取外す。そして、第２のコネクタ２４を第１のコネクタ２３から外して入力用ケーブル２６を筐体１２から取外す。このため、この電子機器１１は、筐体１２と、第１および第２の半部４４，４５とに分割して収納することができるから、収納するにあたって収納スペースが狭くてよい。
【００３９】
この実施の形態によるケーブルガイド１３は、第２のコネクタ２４の着脱方向とは直交する方向（横方向）に分割された第１の半部４４と第２の半部４５とによって構成されている。
このケーブルガイド１３においては、第１の半部４４と第２の半部４５とで入力用ケーブル２６を挟むことによって、ケーブルガイド１３の穴４３に入力用ケーブル２６を通すことができる。
このため、第２のコネクタ２４が第１のコネクタ２３に接続されている状態でケーブルガイド１３を筐体１２に組付けることができるから、ケーブルガイド１３の組付けを簡単に行うことが可能な電子機器を提供することができる。
【００４０】
この実施の形態によるケーブルガイド１３の第１の半部４４は、取付部４１が分割されて形成された第１の取付片４６を有している。第２の半部４５は、取付部４１が分割されて形成された第２の取付片４８を有している。第１の取付片４６と第２の取付片４８とは、第１の半部４４と第２の半部４５とが互いに組み合わせられた状態でそれぞれ筐体１２の外面に嵌合して筐体１２を挟む形状に形成されている。
このため、ケーブルガイド１３を筐体１２に位置決めするにあたって第１および第２の取付片４６，４８を使用して行うことができるから、ケーブルガイド１３を入力用ケーブル２６が挟まれるように筐体１２に組付ける作業をより一層簡単に行うことが可能になる。
【００４１】
上述した実施の形態によるケーブルガイド１３は、筐体１２の横方向に分割形成された第１の半部４４と第２の半部４５とによって構成されている。しかし、本発明に係るケーブルガイド１３は、図示してはいないが、分割可能な構造ではなく、１つの筒状の部材として構成することができる。この筒状のケーブルガイドの一端部には、ケーブルが遊嵌状態で挿通される穴が形成され、他端部には、筐体１２に着脱可能に取付られる取付構造が設けられる。
【００４２】
上述したケーブルガイド１３は、筐体１２の長手方向および横方向と直交する方向に突出している。しかし、本発明は、このような限定にとらわれることはなく、第２のコネクタの着脱方向が筐体の長手方向である場合は、ケーブルガイドが筐体の長手方向に突出するように形成される。また、第２のコネクタの着脱方向が筐体の横方向である場合には、ケーブルガイドが筐体の横方向に突出するように形成される。
【００４３】
上述した実施の形態によるケーブルガイド１３の第１の半部４４と第２の半部４５は、凹部５１，６１に凸部５２，６２が圧入された第１および第２の連結構造５３，６３によって互いに離れることがないように連結されている。しかし、これらの第１の半部４４と第２の半部４５とを互いに接続するにあたっては、第１および第２の半部４４，４５どうしをねじで連結する締結構造や爪片を有する係止構造などによって着脱可能に連結したり、第１および第２の半部４４，４５をそれぞれケース１４やカバー１５に上述した締結構造や係止構造などによって固定して行うことができる。
【００４４】
上述した実施の形態は、ケーブルとしてフラットケーブルを使用する例を示した。しかし、本発明に係る電子機器に使用するケーブルは、断面円形のケーブルでもよい。
さらに、上述した実施の形態においては、計測器と被計測用機器との間に介在する電子機器に本発明を適用する例を示した。しかし、本発明は、このような限定にとらわれることはなく、ケーブル側の第２のコネクタが着脱自在に接続される筐体側の第１のコネクタを有する電子機器であれば、どのような電子機器にも適用することができる。
【符号の説明】
【００４５】
１１…電子機器、１２…筐体、１３…ケーブルガイド、２３…第１のコネクタ、２４…第２のコネクタ、２６…入力用ケーブル（ケーブル）、３１…第１の配線口（配線口）、４１…取付部、４２…ガイド部、４３…穴、４４…第１の半部、４５…第２の半部、４６…第１の取付片、４８…第２の取付片。
【図１】
2019083134.tif 000003
【図２】
2019083134.tif 000004
【図３】
2019083134.tif 000005
【図４】
2019083134.tif 000006
【図５】
2019083134.tif 000007
【図６】
2019083134.tif 000008
【図７】
2019083134.tif 000009